(57)【特許請求の範囲】
【請求項１】
１以上で所定の電話システムを構成する電話端末であって、
自電話端末および自電話端末と接続されている第１のＬＡＮ（Ｌｏｃａｌ  Ａｒｅａ  Ｎｅｔｗｏｒｋ）と接続されている他電話端末の呼制御に係る処理を実行する呼制御手段と、
前記第１のＬＡＮと第２のＬＡＮとの間でブリッジ接続を実行するブリッジ手段と、
前記呼制御手段の有効・無効を設定する呼制御有効無効設定手段と、
前記ブリッジ手段の有効・無効を設定するブリッジ有効無効設定手段と、を備え、
前記呼制御手段は、
前記呼制御有効無効設定手段により有効に設定されている場合に、前記第１のＬＡＮに接続されている自電話端末および他電話端末の呼制御に係る処理を実行すると共に、前記第２のＬＡＮに接続されている他電話端末の呼制御に係る呼制御コマンドを、前記第１のＬＡＮに接続されている、前記ブリッジ手段が有効に設定されている他電話端末へ送信し、
前記ブリッジ手段は、
前記ブリッジ有効無効設定手段により有効に設定されている場合に、前記第１のＬＡＮと前記第２のＬＡＮとの間でブリッジ接続を実行すると共に、前記第１のＬＡＮに接続されている、前記呼制御手段が有効に設定されている他電話端末から受信した呼制御コマンドを、前記第２のＬＡＮに接続されている、前記ブリッジ手段が有効に設定されている他電話端末へ中継し、前記第２のＬＡＮに接続されている、前記ブリッジ手段が有効に設定されている他電話端末から呼制御コマンドを受信した場合に、前記受信した呼制御コマンドを、前記第１のＬＡＮに接続されている、前記呼制御手段が有効に設定されている他電話端末へ中継する
ことを特徴とする電話端末。
【請求項２】
請求項１に記載の電話端末であって、
前記ブリッジ有効無効設定手段は、
操作者から、前記第２のＬＡＮに接続されている他電話端末の指定を伴うブリッジ操作を受け付けた場合に、前記ブリッジ手段を有効に設定するとともに、前記ブリッジ操作で指定された他電話端末に、呼制御コマンドの中継に用いる自電話端末のアドレス情報を通知し、かつ前記ブリッジ手段が有効に設定されている旨を、前記第１のＬＡＮに接続されている、前記呼制御手段が有効に設定されている他電話端末に通知し、
前記第２のＬＡＮに接続されている、前記ブリッジ手段が有効に設定されている他電話端末から、当該他電話端末が呼制御コマンドの中継に用いるアドレス情報を受信した場合に、前記ブリッジ手段を有効に設定するとともに、当該他電話端末に、呼制御コマンドの中継に用いる自電話端末のアドレス情報を通知し、かつ前記ブリッジ手段が有効に設定されている旨を、前記第１のＬＡＮに接続されている、前記呼制御手段が有効に設定されている他電話端末に通知する
ことを特徴とする電話端末。
【請求項３】
請求項２に記載の電話端末であって、
所定のサーバから、前記呼制御コマンドの中継に用いる自電話端末のアドレス情報を取得するアドレス情報取得手段をさらに有する
ことを特徴とする電話端末。
【請求項４】
コンピュータで読み取り可能なプログラムであって、
前記プログラムは、前記コンピュータを、１以上で所定の電話システムを構成する電話端末として機能させ、
前記電話端末は、
自電話端末および自電話端末と接続されている第１のＬＡＮ（Ｌｏｃａｌ  Ａｒｅａ  Ｎｅｔｗｏｒｋ）と接続されている他電話端末の呼制御に係る処理を実行する呼制御手段と、
前記第１のＬＡＮと第２のＬＡＮとの間でブリッジ接続を実行するブリッジ手段と、
前記呼制御手段の有効・無効を設定する呼制御有効無効設定手段と、
前記ブリッジ手段の有効・無効を設定するブリッジ有効無効設定手段と、を備え、
前記呼制御手段は、
前記呼制御有効無効設定手段により有効に設定されている場合に、前記第１のＬＡＮに接続されている自電話端末および他電話端末の呼制御に係る処理を実行すると共に、前記第２のＬＡＮに接続されている他電話端末の呼制御に係る呼制御コマンドを、前記第１のＬＡＮに接続されている、前記ブリッジ手段が有効に設定されている他電話端末へ送信し、
前記ブリッジ手段は、
前記ブリッジ有効無効設定手段により有効に設定されている場合に、前記第１のＬＡＮと前記第２のＬＡＮとの間でブリッジ接続を実行すると共に、前記第１のＬＡＮに接続されている、前記呼制御手段が有効に設定されている他電話端末から受信した呼制御コマンドを、前記第２のＬＡＮに接続されている、前記ブリッジ手段が有効に設定されている他電話端末へ中継し、前記第２のＬＡＮに接続されている、前記ブリッジ手段が有効に設定されている他電話端末から呼制御コマンドを受信した場合に、前記受信した呼制御コマンドを、前記第１のＬＡＮに接続されている、前記呼制御手段が有効に設定されている他電話端末へ中継する
ことを特徴とするプログラム。
【請求項５】
複数の電話端末を用いた内線電話システムの構築方法であって、
前記複数の電話端末に、接続されている電話端末間の呼制御に係る処理を実行する呼制御手段および第１のＬＡＮと第２のＬＡＮとの間でブリッジ接続を実行するブリッジ手段を搭載し、
ＬＡＮ毎に、いずれかの電話端末の呼制御手段を有効にして、当該呼制御手段を有効にした電話端末に、前記第１のＬＡＮに接続している各電話端末の呼制御を実施させることにより、第１のＬＡＮに接続している電話端末間でサブ内線電話システムを構築し、
前記サブ内線電話システム毎に、いずれかの電話端末のブリッジ手段を有効にして、前記ブリッジ手段を有効にした電話端末と、他のサブ内線電話システムのブリッジ手段を有効にした電話端末とをブリッジ接続させ、
サブ内線電話システム各々の呼制御手段を有効にした電話端末に、他のサブ内線電話システムの電話端末に対する呼制御コマンドを、同じサブ内線電話システムのブリッジ手段を有効にした電話端末へ送信させ、
前記同じサブ内線電話システムのブリッジ機能を有効にした電話端末に、前記呼制御コマンドを、前記他のサブ内線電話システムのブリッジ手段を有効にした電話端末へ送信させ、
前記他のサブ内線電話システムのブリッジ手段を有効にした電話端末に、前記呼制御コマンドを、前記他のサブ内線電話システムの呼制御手段を有効にした電話端末へ送信させることにより、前記サブ内線電話システムを連携させて内線電話システムを構築する
ことを特徴とする内線電話システムの構築方法。
【発明の詳細な説明】
【技術分野】
【０００１】
本発明は、呼制御サーバを特別に設置することなく内線電話システムを構築する技術に関する。
【背景技術】
【０００２】
特許文献１には、呼制御サーバを特別に設置することなく内線電話システムを構築する技術が開示されている。
【０００３】
この技術において、各ＩＰ（Ｉｎｔｅｒｎｅｔ  Ｐｒｏｔｏｃｏｌ）電話端末は、各ＩＰ電話端末の発着信、転送等の呼制御を処理する呼制御サーバ機能を有している。そして、ＩＰ電話端末間で決定された特定のＩＰ電話端末のみが、この呼制御サーバ機能を有効にし、自ＩＰ電話端末を含むすべてのＩＰ電話端末の呼制御を処理する。これにより、内線電話システムを構築する。
【先行技術文献】
【特許文献】
【０００４】
【特許文献１】特開２００８−２０５６９９号公報
【発明の概要】
【発明が解決しようとする課題】
【０００５】
しかしながら、特許文献１に記載の技術は、内線電話システムを構成するＩＰ電話端末がすべて同じプライベートネットワークに帰属していることを前提としており、例えば、ＷＡＮ（Ｗｉｄｅ  Ａｒｅａ  Ｎｅｔｗｏｒｋ）を介して、地理的に離れた位置に分散した異なるプライベートネットワークに帰属している複数の電話端末間で内線電話システムを構築することについて考慮していない。
【０００６】
本発明は上記事情に鑑みてなされたものであり、本発明の目的は、呼制御サーバを特別に設置することなく、異なるプライベートネットワークに帰属している複数の電話端末間で内線電話システムを構築するのに好適な技術を提供することにある。
【課題を解決するための手段】
【０００７】
上記課題を解決するために、本発明では、呼制御サーバ機能およびブリッジ機能を有する複数の電話端末を用いて、異なるプライベートネットワークに亘って内線電話システムを構築している。すなわち、プライベートネットワーク毎に、同じプライベートネットワークに帰属する電話端末のうちのいずれか一つの電話端末の呼制御サーバ機能を有効にして、この呼制御サーバ機能を有効にした電話端末に、同じプライベートネットワークに帰属している各電話端末の呼制御を実施させることにより、同じプライベートネットワークに帰属している電話端末間でサブ内線電話システムを構築する。また、サブ内線電話システム毎に、サブ内線電話システムを構成する電話端末のうちの少なくとも一つの電話端末のブリッジ機能を有効にして、このブリッジ機能を有効にした電話端末に、他のサブ内線電話システムのブリッジ機能を有効にした電話端末とブリッジ接続させる。そして、各サブ内線電話システムの呼制御サーバ機能を有効にした電話端末に、他のサブ内線電話システムの電話端末に対する呼を、ブリッジ接続を介して、他のサブ内線電話システムの呼制御サーバ機能を有効にした電話端末へ中継する。これにより、異なるプライベートネットワークに構築されたサブ内線電話システムを連携させて内線電話システムを構築する。
【０００８】
例えば、本発明は、１以上で所定の電話システムを構成する電話端末であって、
自電話端末および自電話端末と接続されている第１のＬＡＮ（Ｌｏｃａｌ  Ａｒｅａ  Ｎｅｔｗｏｒｋ）と接続されている他電話端末の呼制御に係る処理を実行する呼制御手段と、
前記第１のＬＡＮと第２のＬＡＮとの間でブリッジ接続を実行するブリッジ手段と、
前記呼制御手段の有効・無効を設定する呼制御有効無効設定手段と、
前記ブリッジ手段の有効・無効を設定するブリッジ有効無効設定手段と、を備え、
前記呼制御手段は、
前記呼制御有効無効設定手段により有効に設定されている場合に、前記第１のＬＡＮに接続されている自電話端末および他電話端末の呼制御に係る処理を実行すると共に、前記第２のＬＡＮに接続されている他電話端末の呼制御に係る呼制御コマンドを、前記第１のＬＡＮに接続されている、前記ブリッジ手段が有効に設定されている他電話端末へ送信し、
前記ブリッジ手段は、
前記ブリッジ有効無効設定手段により有効に設定されている場合に、前記第１のＬＡＮと前記第２のＬＡＮとの間でブリッジ接続を実行すると共に、前記第１のＬＡＮに接続されている、前記呼制御手段が有効に設定されている他電話端末から受信した呼制御コマンドを、前記第２のＬＡＮに接続されている、前記ブリッジ手段が有効に設定されている他電話端末へ中継し、前記第２のＬＡＮに接続されている、前記ブリッジ手段が有効に設定されている他電話端末から呼制御コマンドを受信した場合に、前記受信した呼制御コマンドを、前記第１のＬＡＮに接続されている、前記呼制御手段が有効に設定されている他電話端末へ中継する。
【０００９】
ここで、前記ブリッジ有効無効設定手段は、
操作者から、前記第２のＬＡＮに接続されている他電話端末の指定を伴うブリッジ操作を受け付けた場合に、前記ブリッジ手段を有効に設定するとともに、前記ブリッジ操作で指定された他電話端末に、呼制御コマンドの中継に用いる自電話端末のアドレス情報を通知し、かつ前記ブリッジ手段が有効に設定されている旨を、前記第１のＬＡＮに接続されている、前記呼制御手段が有効に設定されている他電話端末に通知し、
前記第２のＬＡＮに接続されている、前記ブリッジ手段が有効に設定されている他電話端末から、当該他電話端末が呼制御コマンドの中継に用いるアドレス情報を受信した場合に、前記ブリッジ手段を有効に設定するとともに、当該他電話端末に、呼制御コマンドの中継に用いる自電話端末のアドレス情報を通知し、かつ前記ブリッジ手段が有効に設定されている旨を、前記第１のＬＡＮに接続されている、前記呼制御手段が有効に設定されている他電話端末に通知してもよい。
【発明の効果】
【００１０】
本発明では、プライベートネットワーク毎に、プライベートネットワークに帰属する電話端末のうちのいずれか一つの電話端末の呼制御サーバを有効にしてサブ内線電話システムを構築するとともに、サブ内線電話システム毎に、サブ内線電話システムを構成する電話端末のうちの少なくとも一つの電話端末のブリッジ機能を有効にして、サブ内線電話システム間をブリッジ接続して連携させている。したがって、本発明によれば、呼制御サーバを特別に設置することなく、異なるプライベートネットワークに帰属している複数の電話端末間で内線電話システムを構築することができる。
【図面の簡単な説明】
【００１１】
【図１】図１は、本発明の一実施の形態に係る内線電話システムの概略構成図である。
【図２】図２は、本発明の一実施の形態におけるサブ内線電話システム１の構築動作例を説明するためのシーケンス図である。
【図３】図３は、本発明の一実施の形態におけるサブ内線電話システム１のブリッジ接続動作例を説明するためのシーケンス図である。
【図４】図４は、本発明の一実施の形態における内線電話システムの内線発着信動作例を説明するためのシーケンス図である。
【図５】図５は、無線電話端末２の概略機能構成図である。
【図６】図６は、内線電話システムへの無線電話端末２の加入動作を説明するためのフロー図である。
【図７】図７は、無線電話端末２のブリッジ接続動作を説明するためのフロー図である。
【図８】図８は、呼制御サーバ機能が有効に設定されている無線電話端末２の呼制御サーバ動作を説明するためのフロー図である。
【図９】図９は、ブリッジ機能が有効に設定されている無線電話端末２のブリッジ中継動作を説明するためのフロー図である。
【発明を実施するための形態】
【００１２】
以下に、本発明の一実施の形態について説明する。
【００１３】
図１は、本実施の形態に係る内線電話システムの概略構成図である。
【００１４】
図示するように、本実施の形態に係る内線電話システムは、それぞれ異なるプライベートネットワーク（ＬＡＮ）４−１、４−２（以下、単にプライベートネットワーク４とも呼ぶ）上に構築された複数のサブ内線電話システム１−１、１−２（以下、単にサブ内線電話システム１とも呼ぶ）を備えて構成される。サブ内線電話システム１は、プライベートネットワーク４に帰属する少なくとも１台の無線電話端末２−１〜２−６（以下、単に無線電話端末２とも呼ぶ）と、プライベートネットワーク４を通信パケット網（ＷＡＮ）５に接続するモバイルルータ３と、を有する。
【００１５】
各無線電話端末２は、呼制御サーバ機能およびブリッジ機能を有し、同じプライベートネットワーク４に帰属する無線電話端末２のうち、いずれかの無線電話端末２は、呼制御サーバ機能を有効にしてＩＰ電話網６に接続し、同じプライベートネットワーク４に帰属している無線電話端末２（自無線電話端末２を含む）の呼制御を実施する。これにより、同じプライベートネットワーク４に帰属している無線電話端末２間でサブ内線電話システム１を構築している。
【００１６】
図１では、無線電話端末２−１が呼制御サーバ機能を有効にしてＩＰ電話網６に接続し、同じプライベートネットワーク４−１に帰属している無線電話端末２−１〜２−３の呼制御を実施することにより、サブ内線電話システム１−１を構築している。また、無線電話端末２−４が呼制御サーバ機能を有効にしてＩＰ電話網６に接続し、同じプライベートネットワーク４−２に帰属している無線電話端末２−４〜２−６の呼制御を実施することにより、サブ内線電話システム１−２を構築している。
【００１７】
また、同じサブ内線電話システム１を構成する無線電話端末２のうち、いずれかの無線電話端末２は、ブリッジ機能を有効にして、他のサブ内線電話システム１のブリッジ機能を有効にした無線電話端末２と通信パケット網５経由でブリッジ接続する。ここで、無線電話端末２は、通信パケット網５に接続されたＳＴＵＮ（Ｓｅｓｓｉｏｎ  Ｔｒａｖｅｒｓａｌ  Ｕｔｉｌｉｔｉｅｓ  ｆｏｒ  ＮＡＴｓ）サーバ８から、通信パケット網５におけるアドレス情報を取得し、ＳＭＳ（Ｓｈｏｒｔ  Ｍｅｓｓａｇｅ  Ｓｅｒｖｉｃｅ）網７を介してブリッジ接続相手の無線電話端末２と、通信パケット網５におけるアドレス情報を交換する。そして、各サブ内線電話システム１の呼制御サーバ機能を有効にした無線電話端末２は、他のサブ内線電話システム１の無線電話端末２に対する呼を、ブリッジ接続を介して、他のサブ内線電話システム１の呼制御サーバ機能を有効にした無線電話端末２へ中継する。これにより、異なるプライベートネットワーク４に構築されたサブ内線電話システム１を連携させて、内線電話システムを構築している。
【００１８】
図１では、無線電話端末２−２、２−５がブリッジ機能を有効にして、通信パケット網５経由で互いにブリッジ接続することにより、サブ内線電話システム１−１、１−２を連携させて内線電話システムを構築している。
【００１９】
図２は、本実施の形態におけるサブ内線電話システム１の構築動作例を説明するためのシーケンス図である。ここで、無線電話端末２−１〜２−３は、いずれも初期状態において、サブ内線電話システム１−１に加入しておらず、また、呼制御サーバ機能を無効にしているものとする。なお、ここでは、無線電話端末２−１〜２−３がサブ内線電話システム１−１を構築する場合を説明しているが、無線電話端末２−４〜２−６がサブ内線電話システム１−２を構築する場合も同様である。
【００２０】
まず、無線電話端末２−１が、ユーザから内線加入操作を受け付けたとする（Ｓ１００）。これを受けて、無線電話端末２−１は、呼制御サーバ機能を有効にしている無線電話端末２から帰属許可通知が送られてくるまで、自無線電話端末２−１が帰属しているプライベートネットワーク４−１に帰属要求を複数回繰り返し同報送信する（Ｓ１０１）。しかし、この時点において、サブ内線電話システム１−１に加入している無線電話端末２は存在しないため、帰属許可通知は送られてこない。
【００２１】
つぎに、無線電話端末２−１は、帰属許可通知が送られてくることなく、所定時間の経過によりタイムアウトすると（Ｓ１０２）、呼制御サーバ機能を有効にして（Ｓ１０３）、ＩＰ電話網６（具体的にはＩＰ電話網６上の図示していない呼制御サーバ）に、サブ内線電話システム１−１の外線番号および自無線電話端末２−１のアドレス情報を含む登録要求を送信する（Ｓ１０４）。その後、ＩＰ電話網６への登録が完了し（Ｓ１０５）、完了通知を受信したならば（Ｓ１０６）、無線電話端末２−１は、自身の内線番号およびプライベートネットワーク４−１上のアドレス情報を含む端末情報を呼制御対象の端末情報として登録するとともに、自無線電話端末２−１が帰属しているプライベートネットワーク４−１にサーバ起動通知を同報送信する（Ｓ１０７）。
【００２２】
その後、無線電話端末２−２がユーザから内線加入操作を受け付けたとする（Ｓ１０８）。これを受けて、無線電話端末２−２は、呼制御サーバ機能を有効にしている無線電話端末２から帰属許可通知が送られてくるまで、自無線電話端末２−２が帰属しているプライベートネットワーク４−１に帰属要求を複数回繰り返し同報送信する（Ｓ１０９）。ここで、無線電話端末２−１は、呼制御サーバ機能を有効にしているので、帰属要求を受信すると、この帰属要求の送信元である無線電話端末２−２に帰属許可通知を送信する（Ｓ１１０）。
【００２３】
無線電話端末２−２は、無線電話端末２−１から帰属許可通知を受信すると、この無線電話端末２−１をサブ内線電話システム１−１の呼制御サーバとして登録する。また、自無線電話端末２−２の内線番号およびアドレス情報を含む登録要求を無線電話端末２−１に送信する（Ｓ１１１）。
【００２４】
これを受けて、無線電話端末２−１は、無線電話端末２−２の内線番号およびアドレス情報を呼制御対象の端末情報として登録する（Ｓ１１２）。
【００２５】
その後、無線電話端末２−３がユーザから内線加入操作を受け付けたとする（Ｓ１１３）。これを受けて、無線電話端末２−３は、呼制御サーバ機能を有効にしている無線電話端末２から帰属許可通知が送られてくるまで、自無線電話端末２−３が帰属しているプライベートネットワーク４−１に帰属要求を複数回繰り返し同報送信する（Ｓ１１４）。ここで、無線電話端末２−１は、呼制御サーバ機能を有効にしているので、帰属要求を受信すると、この帰属要求の送信元である無線電話端末２−３に帰属許可通知を送信する（Ｓ１１５）。
【００２６】
無線電話端末２−３は、無線電話端末２−１から帰属許可通知を受信すると、この無線電話端末２−１をサブ内線電話システム１−１の呼制御サーバとして登録する。また、自無線電話端末２−３の内線番号およびアドレス情報を含む登録要求を無線電話端末２−１に送信する（Ｓ１１６）。
【００２７】
これを受けて、無線電話端末２−１は、無線電話端末２−３の内線番号およびアドレス情報を呼制御対象の端末情報として登録する（Ｓ１１７）。
【００２８】
以上により、同じプライベートネットワーク４−１に帰属している無線電話端末２−１〜２−３間において、無線電話端末２−１を呼制御サーバとして、サブ内線電話システム１−１が構築される。
【００２９】
図３は、本実施の形態におけるサブ内線電話システム１のブリッジ接続動作例を説明するためのシーケンス図である。
【００３０】
サブ内線電話システム１−１において、無線電話端末２−２は、ＳＭＳ網７における他のサブ内線電話システム１−２の無線電話端末２−５のアドレス情報（例えば電話番号）の指定を伴うブリッジ操作をユーザから受け付けると（Ｓ１２０）、自無線電話端末２−２のブリッジ機能を有効（ａｃｔｉｖｅ設定）にする（Ｓ１２１）。
【００３１】
それから、無線電話端末２−２は、通信パケット網５上のＳＴＵＮサーバ８に対して、ＳＴＵＮプロトロルに従った手順を実施して（Ｓ１２２）、ブリッジ接続に必要な通信パケット網５上のアドレス情報（グローバルＩＰアドレス、ポート番号）をＳＴＵＮサーバ８から取得する（Ｓ１２３）。
【００３２】
その後、無線電話端末２−２は、ＳＭＳ網７を介して、ユーザのブリッジ操作で指定されたアドレス情報により特定される無線電話端末２−５に、ＳＴＵＮサーバ８から取得した自無線電話端末２−２のアドレス情報と、乱数等を用いて生成した任意の秘密コードと、を含むアドレスアクティブ通知を送信する（Ｓ１２４）。
【００３３】
サブ内線電話システム１−２において、無線電話端末２−５は、ＳＭＳ網７を介して無線電話端末２−２からアドレスアクティブ通知を受信すると、自無線電話端末２−５のブリッジ機能を有効（ｐａｓｓｉｖｅ設定）にする（Ｓ１２５）。
【００３４】
それから、無線電話端末２−５は、通信パケット網５上のＳＴＵＮサーバ８に対して、ＳＴＵＮプロトロルに従った手順を実施して（Ｓ１２６）、ブリッジ接続に必要な通信パケット網５上のアドレス情報（グローバルＩＰアドレス、ポート番号）をＳＴＵＮサーバ８から取得する（Ｓ１２７）。
【００３５】
その後、無線電話端末２−５は、ＳＭＳ網７を介して、アドレスアクティブ通知の送信元である無線電話端末２−２に、ＳＴＵＮサーバ８から取得した自無線電話端末２−５のアドレス情報と、乱数等を用いて生成した任意の秘密コードと、を含むアドレスパッシブ通知を送信する（Ｓ１２８）。
【００３６】
つぎに、無線電話端末２−５は、通信パケット網５を介して、ＳＭＳ網７経由で無線電話端末２−２から取得したアドレスアクティブ通知に含まれているアドレス情報により特定される無線電話端末２−２に、ＳＴＵＮサーバ８から取得した自無線電話端末２−５のアドレス情報と、ＳＭＳ網７経由で無線電話端末２−２から取得したアドレスアクティブ通知に含まれている秘密コードと、を含むブリッジ接続要求を、無線電話端末２−２からブリッジ接続確認が送られてくるまで送信する（Ｓ１２９）。
【００３７】
同様に、無線電話端末２−２は、ＳＭＳ網７経由で無線電話端末２−５からアドレスパッシブ通知を受信すると、通信パケット網５を介して、この無線電話端末２−５から取得したアドレスパッシブ通知に含まれているアドレス情報により特定される無線電話端末２−５に、ＳＴＵＮサーバ８から取得した自無線電話端末２−２のアドレス情報と、ＳＭＳ網７経由で無線電話端末２−５から取得したアドレスパッシブ通知に含まれている秘密コードと、を含むブリッジ接続要求を、無線電話端末２−５からブリッジ接続確認が送られてくるまで送信する（Ｓ１３０）。
【００３８】
無線電話端末２−２は、通信パケット網５を介して無線電話端末２−５からブリッジ接続要求を受信すると、このブリッジ接続要求に含まれている秘密コードが、自無線電話端末２−２がＳＭＳ網７経由で無線電話端末２−５に送信したアドレスアクティブ通知に含めた秘密コードと一致することを確認して、無線電話端末２−５にブリッジ接続確認を送信する（Ｓ１３１）。それから、無線電話端末２−５からブリッジ接続確認が送られてくるのを待つ。
【００３９】
一方、無線電話端末２−５は、通信パケット網５を介して無線電話端末２−２からブリッジ接続要求を受信すると、このブリッジ接続要求に含まれている秘密コードが、自無線電話端末２−５がＳＭＳ網７経由で無線電話端末２−２に送信したアドレスパッシブ通知に含めた秘密コードと一致することを確認して、無線電話端末２−２にブリッジ接続確認を送信する（Ｓ１３２）。無線電話端末２−５は、無線電話端末２−２からのブリッジ接続確認を送信した後、自無線電話端末２−５が参加するサブ内線電話システム１−２において呼制御サーバとして機能している無線電話端末２−４に、ブリッジ接続に利用するプライベートネットワーク４−２上のアドレス情報（プライベートＩＰアドレス、ポート番号）を含むブリッジ登録要求を送信する（Ｓ１３３）。これを受けて、無線電話端末２−４は、ブリッジ登録要求に含まれているアドレス情報をブリッジ登録端末のアドレス情報として登録する（Ｓ１３４）。
【００４０】
また、無線電話端末２−５からのブリッジ接続確認を所定時間内に受信した無線電話端末２−２は、自無線電話端末２−２が参加するサブ内線電話システム１−１において呼制御サーバとして機能している無線電話端末２−１に、ブリッジ接続に利用するプライベートネットワーク４−１上のアドレス情報（プライベートＩＰアドレス、ポート番号）を含むブリッジ登録要求を送信する（Ｓ１３５）。これを受けて、無線電話端末２−１は、ブリッジ登録要求に含まれているアドレス情報をブリッジ登録端末のアドレス情報として登録する（Ｓ１３６）。
【００４１】
以上により、無線電話端末２−２および無線電話端末２−５を介して、サブ内線電話システム１−１およびサブ内線電話システム１−２がブリッジ接続される。
【００４２】
図４は、本実施の形態における内線電話システムの内線発着信動作例を説明するためのシーケンス図である。
【００４３】
サブ内線電話システム１−１において、無線電話端末２−３は、無線電話端末２−６の内線番号の指定を伴う発信操作をユーザから受け付けると（Ｓ１４０）、通話データの送受信に使用するメディアポートを開設してから、この内線番号を発信先番号、自無線電話端末２−３の内線番号を発信元番号とする接続要求を、呼制御サーバである無線電話端末２−１に送信する（Ｓ１４１）。この接続要求は、通話データの送受信に使用するメディア情報として、無線電話端末２−３が開設したメディアポートのアドレス情報を含んでいる。無線電話端末２−１は、無線電話端末２−３から接続要求を受信すると、この接続要求で指定されている発信先番号が、自無線電話端末２−１が管理するサブ内線電話システム１−１の無線電話端末２−１〜２−３以外の内線番号であることを確認し、ブリッジ登録端末である無線電話端末２−２に、この接続要求を送信する（Ｓ１４２）。
【００４４】
つぎに、無線電話端末２−２は、ブリッジ登録端末として、呼制御サーバである無線電話端末２−１からの接続要求を受信すると、メディアゲートウェイ（ＭＧＷ）を起動する（Ｓ１４３）。メディアゲートウェイは、サブ内線電話システム１−１側と通信パケット網５側とにそれぞれメディアポートを開設して、この二つのメディアポートを接続することで通話データを中継する。それから、無線電話端末２−２は、この接続要求内のメディア情報に含まれているアドレス情報を取り出し、これをメディアゲートウェイのサブ内線電話システム１−１側のメディアポートの送受信先アドレス情報として設定するとともに、このメディア情報に含まれているアドレス情報をゲートウェイの通信パケット網５側のメディアポートのアドレス情報に変換する。それから、無線電話端末２−２は、通信パケット網５を介してブリッジ接続相手の無線電話端末２−５に、このアドレス情報が変換された接続要求を送信する（Ｓ１４４）。
【００４５】
サブ内線電話システム１−２において、無線電話端末２−５は、通信パケット網５を介してブリッジ接続相手の無線電話端末２−２から接続要求を受信すると、メディアゲートウェイ（ＭＧＷ）を起動する（Ｓ１４５）。メディアゲートウェイは、サブ内線電話システム１−２側と通信パケット網５側にそれぞれメディアポートを開設して、この二つのメディアポートを接続することで通話データを中継する。つぎに、無線電話端末２−５は、この接続要求内のメディア情報に含まれるアドレス情報を取り出し、これをメディアゲートウェイの通信パケット網５側のメディアポートの送受信先アドレス情報として設定し、この接続要求のメディア情報に含まれるアドレス情報をゲートウェイのサブ内線電話システム１−２側のメディアポートのアドレス情報に変換する。それから、無線電話端末２−２は、このアドレス情報が変換された接続要求を、呼制御サーバである無線電話端末２−４に送信する（Ｓ１４６）。無線電話端末２−４は、ブリッジ登録端末である無線電話端末２−５から接続要求を受信すると、この接続要求で指定されている発信先番号が、自無線電話端末２−４が管理するサブ内線電話システム１−２の無線電話端末２−６の内線番号であることを確認して、この接続要求を無線電話端末２−６に送信する（Ｓ１４７）。
【００４６】
無線電話端末２−６は、呼制御サーバである無線電話端末２−４から接続要求を受信すると着信鳴動を開始する（Ｓ１４８）。それから、無線電話端末２−６は、呼制御サーバである無線電話端末２−４に呼出通知を送信する（Ｓ１４９）。無線電話端末２−４は、無線電話端末２−６から受信した呼出通知を無線電話端末２−５に送信する（Ｓ１５０）。これを受けて、無線電話端末２−５は、この呼出通知を、通信パケット網５を介してブリッジ接続相手の無線電話端末２−２に送信する（Ｓ１５１）。
【００４７】
サブ内線電話システム１−１において、無線電話端末２−２は、通信パケット網５を介してブリッジ接続相手の無線電話端末２−５から呼出通知を受信すると、この呼出通知を、呼制御サーバである無線電話端末２−１に送信する（Ｓ１５２）。無線電話端末２−１は、ブリッジ登録端末である無線電話端末２−２から呼出通知を受信すると、この呼出通知を、接続要求元である無線電話端末２−３に送信する（Ｓ１５３）。これを受けて、無線電話端末２−３は、リングバックトーン（ＲＢＴ）を出力する（Ｓ１５４）。
【００４８】
つぎに、サブ内線電話システム１−２において、無線電話端末２−６は、ユーザから応答操作を受け付けると（Ｓ１５５）、通話データの送受信に使用するメディアポートを開設してから、呼制御サーバである無線電話端末２−４に接続応答を送信する（Ｓ１５６）。この接続応答は、通話データの送受信に使用するメディア情報として、無線電話端末２−６が開設したメディアポートのアドレス情報を含んでいる。無線電話端末２−４は、無線電話端末２−６から受信した接続応答を無線電話端末２−５に送信する（Ｓ１５７）。これを受けて、無線電話端末２−５は、この接続応答内のメディア情報に含まれているアドレス情報を取り出し、これをメディアゲートウェイのサブ内線電話システム１−２側のメディアポートの送受信先アドレス情報として設定するとともに、このメディア情報に含まれているアドレス情報をゲートウェイの通信パケット網５側のメディアポートのアドレス情報に変換する。それから、無線電話端末２−５は、通信パケット網５を介してブリッジ接続相手の無線電話端末２−２に、このアドレス情報が変換された接続応答を送信する（Ｓ１５８）。
【００４９】
つぎに、サブ内線電話システム１−１において、無線電話端末２−２は、通信パケット網５を介してブリッジ接続相手の無線電話端末２−５から接続応答を受信すると、この接続応答内のメディア情報に含まれているアドレス情報を取り出し、これをメディアゲートウェイの通信パケット網５側のメディアポートの送受信先アドレス情報として設定するとともに、このメディア情報に含まれているアドレス情報をゲートウェイのサブ内線電話システム１−１側のメディアポートのアドレス情報に変換する。それから、無線電話端末２−２は、このアドレス情報が変換された接続応答を、呼制御サーバである無線電話端末２−１に送信する（Ｓ１５９）。無線電話端末２−１は、ブリッジ登録端末である無線電話端末２−２から接続応答を受信すると、この接続応答を、接続要求元である無線電話端末２−３に送信する（Ｓ１６０）。
【００５０】
以上により、メディアゲートウェイとして機能する無線電話端末２−２、２−５を介して、発信元である無線電話端末２−３と発信先である無線電話端末２−６との間に通話路が確立される（Ｓ１６１、Ｓ１６２）。
【００５１】
つぎに、無線電話端末２の詳細を説明する。なお、モバイルルータ３は、既存の装置を利用できるので、その詳細な説明を省略している。
【００５２】
図５は、無線電話端末２の概略機能構成図である。
【００５３】
図示するように、無線電話端末２は、無線インターフェース部２００と、マンマシンインターフェース部２０１と、ＰＮ通信部２０２と、ＩＰ電話網通信部２０３と、ＳＭＳ網通信部２０４と、ＭＧＷ処理部２０５と、ＳＴＵＮクライアント処理部２０６と、ＩＰ電話機能部２０７と、呼制御サーバ機能部２０８と、ブリッジ機能部２０９と、主制御部２１０と、を備えている。
【００５４】
無線インターフェース部２００は、通信パケット網５、ＩＰ電話網６、およびＳＭＳ網７と無線通信するためのインターフェースである。
【００５５】
マンマシンインターフェース部２０１は、ユーザが電話および各種操作を行うためのインターフェースであり、図示していないが、マイクと、スピーカと、ダイヤルキー等の操作部と、ＬＣＤ、ＬＥＤ等のディスプレイと、を備える。
【００５６】
ＰＮ通信部２０２は、無線インターフェース部２００およびモバイルルータ３を介して、自無線電話端末２と同じプライベートネットワーク４に参加している他の無線電話端末２との通信を制御する。
【００５７】
ＩＰ電話網通信部２０３は、無線インターフェース部２００を介してＩＰ電話網６との通信を制御する。
【００５８】
ＳＭＳ網通信部２０４は、無線インターフェース部２００を介してＳＭＳ網７との通信を制御する。
【００５９】
ＭＧＷ処理部２０５は、自無線電話端末２が参加するサブ内線電話システム１内の無線電話端末２（自無線電話端末２を含む）の通話路を通信パケット網５に接続するための処理を行う。これにより、メディアゲートウェイとしての機能を実現する。
【００６０】
ＳＴＵＮクライアント処理部２０６は、通信パケット網５上のＳＴＵＮサーバ８に対してＳＴＵＮプロトロルに従った手順を実施して、ブリッジ接続に必要な通信パケット網５上のアドレス情報（グローバルＩＰアドレス、ポート番号）をＳＴＵＮサーバ８から取得する。
【００６１】
ＩＰ電話機能部２０７は、ＩＰ電話機の機能を実現するために必要な処理を行う。具体的には、ＳＩＰ（Ｓｅｓｓｉｏｎ  Ｉｎｉｔｉａｔｉｏｎ  Ｐｒｏｔｏｃｏｌ）等の呼制御プロトコルに従い、呼制御サーバ経由で通信相手（ＩＰ電話網６あるいは他の無線電話端末２）と呼制御メッセージをやり取りすることにより、通話路の確立・解放を実施する。また、ＲＴＰ（Ｒｅａｌｔｉｍｅ  Ｔｒａｎｓｐｏｒｔ  Ｐｒｏｔｏｃｏｌ）等の伝送プロトコルに従い、マンマシンインターフェース部２０１を介してユーザにより音声入力された音声信号を通話データに符号化し、この通話データを通話路経由で相手端末に送信するとともに、相手端末から通話路経由で通話データを受信し、この通話データを音声信号に復号してマンマシンインターフェース部２０１から音声出力する。
【００６２】
呼制御サーバ機能部２０８は、呼制御サーバの機能を実現するために必要な処理を行う。具体的には、ＩＰ電話網６（具体的にはＩＰ電話網６上の図示していない呼制御サーバ）に、自無線電話端末２が参加するサブ内線電話システム１の外線番号および自無線電話端末２のアドレス情報を含む登録要求を送信して、自無線電話端末２をＩＰ電話網６に登録する。また、ＳＩＰ等の呼制御プロトコルに従い、自無線電話端末２を含むいずれかの無線電話端末２と通話相手（ＩＰ電話網６あるいは他の無線電話端末２）との間でやり取りされる呼制御メッセージを中継することにより、両者間に通話路を確立、あるいは両者間に確立されている通話路を解放する。
【００６３】
ブリッジ機能部２０９は、ＳＭＳ網通信部２０４およびＳＴＵＮクライアント処理部２０６と連携して、自無線電話端末２が参加するサブ内線電話システム１以外のサブ内線電話システム１の無線電話端末２とブリッジ接続するために必要な処理を行う。
【００６４】
主制御部２１０は、自無線電話端末２の各部２００〜２０９を統括的に制御する。また、主制御部２１０は、自無線電話端末２の内線電話システムへの加入およびブリッジ接続を制御する。
【００６５】
図６は、内線電話システムへの無線電話端末２の加入動作を説明するためのフロー図である。このフローは、マンマシンインターフェース部２０１を介してユーザから内線加入操作を受け付けることにより開始される。
【００６６】
まず、主制御部２１０は、ＰＮ通信部２０２に帰属要求の送信を指示する。これを受けて、ＰＮ通信部２０２は、無線インターフェース部２００を介して、自無線電話端末２が帰属するプライベートネットワーク４に帰属要求を同報送信する（Ｓ２００）。そして、帰属要求に対する応答である帰属許可通知を所定時間内に受信しなかった場合（Ｓ２０１でＮＯ）、帰属要求を所定回数送信していないならば（Ｓ２０２でＮＯ）、Ｓ２００に戻って帰属要求を再度同報送信する。
【００６７】
一方、Ｓ２０１において、帰属許可通知を所定時間内に受信した場合（Ｓ２０１でＹＥＳ）、ＰＮ通信部２０２は、帰属許可通知の送信元アドレスを主制御部２１０に通知する。これを受けて、主制御部２１０は、ＩＰ電話機能部２０７に、帰属許可通知の送信元アドレスを通知して内線電話システムへの加入を指示する。
【００６８】
ＩＰ電話機能部２０７は、主制御部２１０から内線電話システムへの加入を指示されると、主制御部２１０より受け取った帰属許可通知の送信元アドレスを呼制御サーバ（呼制御サーバ機能を有効にしている無線電話端末２）のアドレスとして登録する。また、ＰＮ通信部２０２および無線インターフェース部２００を介して、呼制御サーバのアドレスにより特定される無線電話端末２に登録要求を送信する（Ｓ２０４）。
【００６９】
また、Ｓ２０２において、帰属要求を所定回数送信していた場合（Ｓ２０２でＹＥＳ）、ＰＮ通信部２０２は、帰属許可通知の受信待ちのタイムアウトを主制御部２１０に通知する。これを受けて、主制御部２１０は、呼制御サーバ機能を有効に設定して（Ｓ２０５）、呼制御サーバ機能部２０８を起動する。
【００７０】
呼制御サーバ機能部２０８は、主制御部２１０によって起動されると、まず、ＩＰ電話網通信部２０３および無線インターフェース部２００を介してＩＰ電話網６（具体的にはＩＰ電話網６上の図示していない呼制御サーバ）に、サブ内線電話システム１の外線番号および自無線電話端末２のアドレス情報を含む登録要求を送信して、自無線電話端末２をＩＰ電話網６に登録する（Ｓ２０６）。
【００７１】
呼制御サーバ機能部２０８は、ＩＰ電話網６から完了通知を受信すると、主制御部２１０に登録完了を通知し、主制御部２１０は、ＰＮ通信部２０２および無線インターフェース部２００を介して、自無線電話端末２が帰属しているプライベートネットワーク４にサーバ起動通知を同報送信する（Ｓ２０７）。また、主制御部２１０は、呼制御サーバ機能部２０８に、自無線電話端末２の内線番号およびプライベートネットワーク４上のアドレス情報を含む端末情報を、呼制御対象の端末情報として登録する（Ｓ２０８）。
【００７２】
それから、主制御部２１０は、ＩＰ電話機能部２０７に、呼制御サーバのアドレスとして、プライベートネットワーク４上の自無線電話端末２のアドレス情報を登録する（Ｓ２０９）。
【００７３】
図７は、無線電話端末２のブリッジ接続動作を説明するためのフロー図である。
【００７４】
主制御部２１０は、マンマシンインターフェース部２０１を介してユーザから、自無線電話端末２が参加しているサブ内線電話システム１以外のサブ内線電話システム１に参加している無線電話端末２（ブリッジ接続相手）のＳＭＳ網７上のアドレス情報（例えば電話番号）の指定を伴うブリッジ操作を受け付けると（Ｓ２２０でＹＥＳ）、ブリッジ機能部２０９を有効（ａｃｔｉｖｅ設定）にして（Ｓ２２１）、ユーザから受け付けたブリッジ操作で指定されているブリッジ接続相手のＳＭＳ網７上のアドレス情報をブリッジ機能部２０９に渡す。
【００７５】
これを受けて、ブリッジ機能部２０９は、ＳＴＵＮクライアント処理部２０６にアドレス情報の取得を指示する。ＳＴＵＮクライアント処理部２０６は、ＳＴＵＮプロトコルに従った手順を実施し、無線インターフェース部２００を介して通信パケット網５上のＳＴＵＮサーバ８から、自無線電話端末２が通信パケット網５を介してブリッジ接続相手とブリッジ接続するために必要な通信パケット網５上のアドレス情報（グローバルＩＰアドレス、ポート番号）を取得する（Ｓ２２２）。
【００７６】
つぎに、ブリッジ機能部２０９は、乱数等を用いて任意の秘密コードを生成し、この秘密コードと、ＳＴＵＮクライアント処理部２０６が取得したアドレス情報と、を含むアドレスアクティブ通知を生成する。そして、ブリッジ接続相手のＳＭＳ網７上のアドレス情報とともにＳＭＳ網通信部２０４に渡す。ＳＭＳ網通信部２０４は、無線インターフェース部２００およびＳＭＳ網７を介して、主制御部２１０より受け取ったアドレス情報により特定されるブリッジ接続相手の無線電話端末２にアドレスアクティブ通知を送信する（Ｓ２２３）。
【００７７】
つぎに、ＳＭＳ網通信部２０４は、ＳＭＳ網７および無線インターフェース部２００を介してブリッジ接続相手の無線電話端末２からアドレスパッシブ通知を受信し、このアドレスパッシブ通知をブリッジ機能部２０９に渡す。また、ブリッジ機能部２０９は、通信パケット網５および無線インターフェース部２００を介してブリッジ接続相手の無線電話端末２からブリッジ接続要求を受信する（Ｓ２２４）。
【００７８】
それから、ブリッジ機能部２０９は、無線インターフェース部２００および通信パケット網５を介して、アドレスパッシブ通知に含まれているアドレス情報により特定されるブリッジ接続相手の無線電話端末２に、ＳＴＵＮクライアント処理部２０６が取得したアドレス情報と、アドレスパッシブ通知に含まれている秘密コードを含むブリッジ接続要求を送信する（Ｓ２２５）。
【００７９】
また、ブリッジ機能部２０９は、ブリッジ接続相手の無線電話端末２から受信したブリッジ接続要求に含まれている秘密コードと、ブリッジ接続相手の無線電話端末２に送信したアドレスアクティブ通知に含めた秘密コードと、を用いて検証を実施する（Ｓ２２６）。双方の秘密コードが一致しないならば検証不成立と判断し（Ｓ２２６でＮＯ）、その旨を主制御部２１０に通知する。これを受けて、主制御部２１０は、マンマシンインターフェース部２０１にエラーメッセージを表示するなどの所定のエラー処理を実施する（Ｓ２３１）。一方、双方の秘密コードが一致するならば検証成立と判断し（Ｓ２２６でＹＥＳ）、無線インターフェース部２００および通信パケット網５を介して、ブリッジ接続相手の無線電話端末２にブリッジ接続確認を送信する（Ｓ２２７）。
【００８０】
それから、ブリッジ機能部２０９は、通信パケット網５および無線インターフェース部２００を介して、ブリッジ接続相手の無線電話端末２からブリッジ接続確認が送られてくるのを待つ（Ｓ２２８）。そして、所定時間内にブリッジ接続相手の無線電話端末２からブリッジ接続確認を受信しなかったならば（Ｓ２２８でＮＯ）、その旨を主制御部２１０に通知する。これを受けて、主制御部２１０は、マンマシンインターフェース部２０１にエラーメッセージを表示するなどの所定のエラー処理を実施する（Ｓ２３１）。一方、所定時間内にブリッジ接続相手の無線電話端末２からブリッジ接続確認を受信したならば（Ｓ２２８でＹＥＳ）、ブリッジ接続相手の無線電話端末２から受信したアドレスパッシブ通知に含まれているアドレス情報をブリッジ接続相手のアドレス情報として登録する（Ｓ２２９）。その後、ブリッジ機能部２０９は、呼制御サーバのプライベートネットワーク４上のアドレス情報をＩＰ電話機能部２０７から取得し、ＰＮ通信部２０２および無線インターフェース部２００を介して、取得したアドレス情報により特定される無線電話端末２に、ブリッジ接続に利用するプライベートネットワーク４上のアドレス情報（プライベートＩＰアドレスおよびポート番号）を含むブリッジ登録要求を送信する（Ｓ２３０）。
【００８１】
また、ＳＭＳ網通信部２０４は、無線インターフェース部２００を介してＳＭＳ網７からアドレスアクティブ通知を受信すると（Ｓ２３２でＹＥＳ）、このアドレスアクティブ通知を主制御部２１０に渡す。これを受けて、主制御部２１０は、ブリッジ機能部２０９を有効（ｐａｓｓｉｖｅ設定）にして（Ｓ２３３）、アドレスアクティブ通知をブリッジ機能部２０９に渡す。
【００８２】
これを受けて、ブリッジ機能部２０９は、ＳＴＵＮクライアント処理部２０６にアドレス情報の取得を指示する。そして、ＳＴＵＮクライアント処理部２０６は、ＳＴＵＮプロトコルに従った手順を実施し、無線インターフェース部２００を介して通信パケット網５上のＳＴＵＮサーバ８から、自無線電話端末２が通信パケット網５を介してブリッジ接続相手とブリッジ接続するために必要な通信パケット網５上のアドレス情報（グローバルＩＰアドレス、ポート番号）を取得する（Ｓ２３４）。
【００８３】
つぎに、ブリッジ機能部２０９は、乱数等を用いて任意の秘密コードを生成し、この秘密コードと、ＳＴＵＮクライアント処理部２０６が取得したアドレス情報と、を含むアドレスパッシブ通知を生成する。そして、このアドレスパッシブ通知をＳＭＳ網通信部２０４に渡す。ＳＭＳ網通信部２０４は、無線インターフェース部２００およびＳＭＳ網７を介して、ブリッジ接続相手の無線電話端末２であるアドレスアクティブ通知の送信元にアドレスパッシブ通知を送信する。また、ブリッジ機能部２０９は、無線インターフェース部２００および通信パケット網５を介して、アドレスアクティブ通知に含まれているアドレス情報により特定されるブリッジ接続相手の無線電話端末２に、ＳＴＵＮクライアント処理部２０６が取得したアドレス情報と、アドレスアクティブ通知に含まれている秘密コードと、を含むブリッジ接続要求を送信する（Ｓ２３５）。
【００８４】
それから、ブリッジ機能部２０９は、通信パケット網５および無線インターフェース部２００を介してブリッジ接続相手の無線電話端末２からブリッジ接続要求を受信する（Ｓ２３６）。そして、ブリッジ機能部２０９は、このブリッジ接続要求に含まれている秘密コードと、ブリッジ接続相手の無線電話端末２に送信したアドレスパッシブ通知に含めた秘密コードと、を用いて検証を実施する（Ｓ２３７）。双方の秘密コードが一致しないならば検証不成立と判断し（Ｓ２３７でＮＯ）、その旨を主制御部２１０に通知する。これを受けて、主制御部２１０は、マンマシンインターフェース部２０１にエラーメッセージを表示するなどの所定のエラー処理を実施する（Ｓ２４２）。一方、双方の秘密コードが一致するならば検証成立と判断し（Ｓ２３７でＹＥＳ）、無線インターフェース部２００および通信パケット網５を介して、ブリッジ接続相手の無線電話端末２にブリッジ接続確認を送信する（Ｓ２３８）。
【００８５】
それから、ブリッジ機能部２０９は、通信パケット網５および無線インターフェース部２００を介して、ブリッジ接続相手の無線電話端末２からブリッジ接続確認が送られてくるのを待つ（Ｓ２３９）。そして、所定時間内にブリッジ接続相手の無線電話端末２からブリッジ接続確認を受信しなかったならば（Ｓ２３９でＮＯ）、その旨を主制御部２１０に通知する。これを受けて、主制御部２１０は、マンマシンインターフェース部２０１にエラーメッセージを表示するなどの所定のエラー処理を実施する（Ｓ２４２）。一方、所定時間内にブリッジ接続相手の無線電話端末２からブリッジ接続確認を受信したならば（Ｓ２３９でＹＥＳ）、ブリッジ接続相手の無線電話端末２から受信したアドレスアクティブ通知に含まれているアドレス情報をブリッジ接続相手のアドレス情報として登録する（Ｓ２４０）。その後、ブリッジ機能部２０９は、呼制御サーバのプライベートネットワーク４上のアドレス情報をＩＰ電話機能部２０７から取得し、ＰＮ通信部２０２および無線インターフェース部２００を介して、このアドレス情報により特定される無線電話端末２に、ブリッジ接続に利用するプライベートネットワーク４上のアドレス情報（プライベートＩＰアドレス、ポート番号）を含むブリッジ登録要求を送信する（Ｓ２４１）。
【００８６】
図８は、呼制御サーバ機能が有効に設定されている無線電話端末２の呼制御サーバ動作を説明するためのフロー図である。
【００８７】
呼制御サーバ機能部２０８は、無線インターフェース部２００およびＰＮ通信部２０２を介して、同じプライベートネットワーク４に帰属する無線電話端末２から帰属要求を受信すると（Ｓ２５０でＹＥＳ）、帰属要求送信元の無線電話端末２に帰属許可通知を送信して（Ｓ２５１）、この無線電話端末２から登録要求が送られてくるのを待つ（Ｓ２５２）。登録要求を受信したならば（Ｓ２５２でＹＥＳ）、この登録要求に含まれている無線電話端末２の内線番号およびプライベートネットワーク４上のアドレス情報を含む端末情報を呼制御対象の端末情報として登録する（Ｓ２５３）。
【００８８】
また、呼制御サーバ機能部２０８は、無線インターフェース部２００およびＰＮ通信部２０２を介して呼制御対象の無線電話端末２から接続要求を受信すると（Ｓ２５４でＹＥＳ）、この接続要求で指定されている発信先番号を解析する（Ｓ２５５）。発信先番号が外線番号である場合（Ｓ２５５で「外線番号」）、呼制御サーバ機能部２０８は、この接続要求を、無線インターフェース部２００を介してＩＰ電話網６に送信して、接続要求送信元の無線電話端末２およびＩＰ電話網６間に通話路が形成されるように外線発信処理を実施する（Ｓ２５６）。
【００８９】
また、発信先番号が呼制御対象の無線電話端末２の内線番号である場合（Ｓ２５５で「呼制御対象の内線番号」）、呼制御サーバ機能部２０８は、この接続要求を、ＰＮ通信部２０２および無線インターフェース部２００を介して、発信先番号により特定される無線電話端末２に送信して、接続要求送信元の無線電話端末２および発信先番号により特定される無線電話端末２に対して、両者間に通話路が形成されるように呼制御手順を実施する（Ｓ２５７）。
【００９０】
また、発信先番号が呼制御対象の無線電話端末２以外の無線電話端末２の内線番号である場合（Ｓ２５５で「呼制御対象外の内線番号」）、呼制御サーバ機能部２０８は、ブリッジ登録端末が存在するか否かを判断する（Ｓ２５８）。
【００９１】
ブリッジ登録端末が存在する場合（Ｓ２５８でＹＥＳ）、呼制御サーバ機能部２０８は、ＰＮ通信部２０２および無線インターフェース部２００を介して、この接続要求をブリッジ登録端末に送信して、接続要求送信元の無線電話端末２およびブリッジ登録端末に対して、接続要求送信元の無線電話端末２および発信先番号により特定される無線電話端末２間にブリッジ登録端末経由で通話路が形成されるように呼制御手順を実施する（Ｓ２５９）。
【００９２】
一方、ブリッジ登録端末が存在しない場合（Ｓ２５８でＮＯ）、呼制御サーバ機能部２０８は、接続要求送信元の無線電話端末２にビジートーンを返すなどの所定のエラー処理を実施する（Ｓ２６０）。
【００９３】
図９は、ブリッジ機能が有効に設定されている無線電話端末２のブリッジ中継動作を説明するためのフロー図である。
【００９４】
無線インターフェース部２００は、ブリッジ登録端末として、呼制御サーバである無線電話端末２から接続要求を受信すると（Ｓ２７０でＹＥＳ）、この接続要求をブリッジ機能部２０９に渡す。これを受けて、ブリッジ機能部２０９は、ＭＧＷ処理部２０５を起動するとともに（Ｓ２７１）、呼制御サーバとブリッジ接続相手として登録された無線電話端末２との間において、この接続要求を含む呼制御手順でやり取りされる一連の呼制御メッセージを中継する（Ｓ２７２）。
【００９５】
つぎに、ブリッジ機能部２０９は、一連の呼制御メッセージの中継において（Ｓ２７２）、ブリッジ接続相手から接続応答を受信したならば（Ｓ２７３でＹＥＳ）、ＭＧＷ処理部２０５に通話路の中継を指示する。これを受けて、ＭＧＷ処理部２０５は、一連の呼制御メッセージのやり取りによって確立された通話路を中継する（Ｓ２７４）。
【００９６】
その後、ブリッジ機能部２０９は、一連の呼制御メッセージの中継において（Ｓ２７２）、ブリッジ接続相手に切断応答を送信あるいはブリッジ接続相手から切断応答を受信したならば（Ｓ２７５でＹＥＳ）、ＭＧＷ処理部２０５を停止する（Ｓ２７６）。
【００９７】
また、無線インターフェース部２００は、通信パケット網５を介してブリッジ接続相手から接続要求を受信すると（Ｓ２７７でＹＥＳ）、この接続要求をブリッジ機能部２０９に渡す。これを受けて、ブリッジ機能部２０９は、ＭＧＷ処理部２０５を起動する（Ｓ２７８）。また、呼制御サーバとして機能する無線電話端末２とブリッジ接続相手との間において、この接続要求および接続応答を含む呼制御手順でやり取りされる一連の呼制御メッセージを中継する（Ｓ２７９）。
【００９８】
つぎに、ブリッジ機能部２０９は、一連の呼制御メッセージの中継において（Ｓ２７９）、ブリッジ接続相手に接続応答を送信したならば（Ｓ２８０でＹＥＳ）、ＭＧＷ処理部２０５に通話路の中継を指示する。これを受けて、ＭＧＷ処理部２０５は、一連の呼制御メッセージのやり取りによって確立された通話路を中継する（Ｓ２８１）。
【００９９】
その後、ブリッジ機能部２０９は、一連の呼制御メッセージの中継において（Ｓ２７９）、ブリッジ接続相手に切断応答を送信あるいはブリッジ接続相手から切断応答を受信したならば（Ｓ２８２でＹＥＳ）、ＭＧＷ処理部２０５を停止する（Ｓ２８３）。
【０１００】
以上、本発明の一実施の形態を説明した。
【０１０１】
本実施の形態では、呼制御サーバ機能およびブリッジ機能を有する複数の無線電話端末２を用いて、異なるプライベートネットワーク４に亘って内線電話システムを構築している。すなわち、プライベートネットワーク４毎に、同じプライベートネットワーク４に帰属する無線電話端末２のうちのいずれかの無線電話端末２の呼制御サーバ機能を有効にして、この無線電話端末２に、同じプライベートネットワーク４に帰属している各無線電話端末２の呼制御を実施させることにより、同じプライベートネットワーク４に帰属している無線電話端末２間でサブ内線電話システム１を構築する。また、サブ内線電話システム１毎に、サブ内線電話システム１を構成する無線電話端末２のうちのいずれかの無線電話端末２のブリッジ機能を有効にして、この無線電話端末２に、他のサブ内線電話システム１のブリッジ機能を有効にした無線電話端末２とブリッジ接続させる。そして、各サブ内線電話システム１の呼制御サーバ機能を有効にした無線電話端末２に、他のサブ内線電話システム１の無線電話端末２に対する呼を、ブリッジ接続を介して、他のサブ内線電話システム１の呼制御サーバ機能を有効にした無線電話端末２へ中継する。これにより、異なるプライベートネットワーク４に構築されたサブ内線電話システム１を連携させて、内線電話システムを構築する。したがって、本実施の形態によれば、呼制御サーバを特別に設置することなく、異なるプライベートネットワーク４に帰属している複数の無線電話端末２間で内線電話システムを構築することができる。
【０１０２】
また、本実施の形態において、無線電話端末２は、操作者から、異なるプライベートネットワーク４に帰属するブリッジ接続相手の無線電話端末２の指定を伴うブリッジ操作を受け付けた場合に、ブリッジ機能を有効に設定して、ＳＭＳ網７経由でこのブリッジ操作で指定されたブリッジ接続相手の無線電話端末２に、自無線電話端末２の通信パケット網５上のアドレス情報を含むアドレスアクティブ通知を送信するとともに、同じプライベートネットワーク４に帰属している呼制御サーバ機能が有効に設定された無線電話端末２にブリッジ登録要求を送信する。また、異なるプライベートネットワーク４に帰属する無線電話端末２から、ＳＭＳ網７経由でアドレスアクティブ通知を受信した場合に、ブリッジ機能を有効に設定して、この無線電話端末２に、自無線電話端末２の通信パケット網５上のアドレス情報を含むアドレスパッシブ通知を送信するとともに、同じプライベートネットワーク４に帰属している呼制御サーバ機能が有効に設定された無線電話端末２にブリッジ登録要求を送信する。したがって、本実施の形態によれば、ユーザは、通信パケット網５上のブリッジ接続相手のアドレスを入力することなく、通信パケット網５を介してブリッジ接続相手とブリッジ接続することができるため、ユーザの負担を軽減できる。
【０１０３】
また、本実施の形態では、ブリッジ機能を有効にする無線電話端末２がＳＴＵＮサーバ８から通信パケット網５における自無線電話端末２のアドレス情報を取得するので、各無線電話端末２に、ブリッジ接続のために通信パケット網５上のアドレス情報を予め取得させておく必要がない。このため、通信パケット網５上のアドレス情報の割当てを節約することができる。
【０１０４】
なお、本発明は上記の実施の形態に限定されるものではなく、その要旨の範囲内で数々の変形が可能である。
【０１０５】
例えば、上記の実施の形態では、サブ内線電話システム１毎にいずれか１台の無線電話端末２のブリッジ機能を有効にして、他のサブ内線電話システム１のブリッジ機能を有効にした無線電話端末２と通信パケット網５経由でブリッジ接続している。しかし、本発明はこれに限定されない。同じサブ内線電話システム１内で複数の無線電話端末２がブリッジ機能を有効にしてもよい。そして、呼制御サーバとして機能する無線電話端末２は、他のサブ内線電話システム１の無線電話端末２に対する呼を、配下のサブ内線電話システム１内のブリッジ機能を有効にしたすべての無線電話端末２に送信する。この場合、複数レスポンスの処理またはループ検出を行う必要があるが、例えばＳＩＰであれば、ＩＥＴＦ（Ｉｎｔｅｒｎｅｔ  Ｅｎｇｉｎｅｅｒｉｎｇ  Ｔａｓｋ  Ｆｏｃｅ）が発行するＲＦＣ（Ｒｅｑｕｅｓｔ  Ｆｏｒ  Ｃｏｍｍｅｎｔ）３２６１の１６章に記載されるプロキシの動作により処理することができる。
【０１０６】
また、上記の実施の形態では、ブリッジ機能を有効にする無線電話端末２がＳＴＵＮサーバ８から通信パケット網５における自無線電話端末２のアドレス情報を取得しているが、本発明はこれに限定されない。各無線電話端末２に、ブリッジ接続のために通信パケット網５上のアドレス情報を予め割り当ててもよい。
【０１０７】
また、上記の実施の形態では、ブリッジ機能を有効にした無線電話端末２がブリッジ接続相手とＳＭＳ網７経由で通信パケット網５上のアドレス情報を送受信しているが、本発明はこれに限定されない。携帯電話網、ＰＨＳ網等の他の通信網を介して、通信パケット網５上のアドレス情報を送受信するものであればよい。
【０１０８】
また、上記の実施の形態において、無線電話端末２は、操作者からブリッジ操作を受け付けた場合にブリッジ機能を有効にしているが、本発明はこれに限定されない。例えば、無線電話端末２は、呼制御サーバへの登録が完了したときに自動的にブリッジ機能を有効にして、予め登録されているブリッジ接続相手のアドレス情報（例えば電話番号）を用いてブリッジ接続を開始してもよい。
【０１０９】
また、上記の実施の形態では、呼制御サーバ機能を有効にした無線電話端末２とブリッジ機能を有効にした無線電話端末２とが異なる場合を例に取り説明したが、本発明はこれに限定されない。同じ無線電話端末２が呼制御サーバ機能およびブリッジ機能の両方を有効にしてもよい。例えば、１台の無線電話端末２により１つのサブ内線電話システム１が構築されるようにしてもよい。
【０１１０】
また、上記の実施の形態では、内線電話システムを構築する内線電話端末が無線電話端末２である場合を例に取り説明したが、内線電話端末は有線電話端末であってもよい。
【０１１１】
また、上記の実施の形態において、図５に示す無線電話端末２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、および無線ＬＡＮアダプタ等の無線通信機を備えたＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、スマートホン等の汎用コンピュータにおいて、ＣＰＵが所定のプログラムを補助記憶装置からメモリ上にロードして実行することで実現されるものでもよい。
【符号の説明】
【０１１２】
１、１−１〜１−２：サブ内線電話システム、  ２、２−１〜２−６：無線電話端末、  ３：モバイルルータ、  ４、４−１、４−２：プライベートネットワーク、  ５：通信パケット網、  ６：ＩＰ電話網、  ７：ＳＭＳ網、  ８：ＳＴＵＮサーバ、  ２００：無線インターフェース部、  ２０１：マンマシンインターフェース部、  ２０２：ＰＮ通信部、  ２０３：ＩＰ電話網通信部、  ２０４：ＳＭＳ網通信部、  ２０５：ＭＧＷ処理部、  ２０６：ＳＴＵＮクライアント処理部、  ２０７：ＩＰ電話機能部、  ２０８：呼制御サーバ機能部、  ２０９：ブリッジ機能部、  ２１０：主制御部
【図１】
0006589730.tif 000002
【図２】
0006589730.tif 000003
【図３】
0006589730.tif 000004
【図４】
0006589730.tif 000005
【図５】
0006589730.tif 000006
【図６】
0006589730.tif 000007
【図７】
0006589730.tif 000008
【図８】
0006589730.tif 000009
【図９】
0006589730.tif 000010